(57)【要約】【課題】  防音体が下方に偏ることなく、また防音体を係合する防音体係合用針状体が面材の表面に突き出ることもなく、さらに間仕切り壁パネルの中空部に防音体を厚み方向にも均等に充填することができ、面全体にわたって均一な遮音性を得ることができる、間仕切り壁パネルを提供する。【解決手段】  枠体２およびこの枠体２の表裏面に固着される一対の面材３A、３Bから構成されることでその内部に中空部４が形成され、この中空部４に防音体５が充填されてなる間仕切り壁パネル１であって、間仕切り壁パネル１の面材３Bの間仕切り壁パネル１内部方向側にて、防音体５は面材３Bの間仕切り壁パネル１内部方向側に突出させた防音体係合用針状体６に係合されていることを特徴とする。【選択図】図１
2006207135.tif 000002
【特許請求の範囲】
【請求項１】
枠体およびこの枠体の表裏面に固着される一対の面材から構成されることでその内部に中空部が形成され、この中空部に防音体が充填されてなる間仕切り壁パネルであって、面材の間仕切り壁パネル内部方向側にて、防音体は面材の間仕切り壁パネル内部方向側に突出させた防音体係合用針状体に係合されていることを特徴とする間仕切り壁パネル。
【請求項２】
間仕切り壁パネルの面材の間仕切り壁パネル内部方向側にて、防音体を面材の間仕切り壁パネル内部方向側に突出させた防音体係合用針状体に係合させ、この防音体を係合させた面材を間仕切り壁パネルの枠体に固着させ、防音体を中空部に充填してなる請求項１記載の間仕切り壁パネル。
【請求項３】
防音体を、面材で圧縮させた状態で防音体係合用針状体に係合させてなる請求項２記載の間仕切り壁パネル。
【請求項４】
面材を面材固着用針状体で枠体に固着させ、かつ、面材固着用針状体の表面露出部の彩色を、一部を面材の外部方向側で露出させるように面材の間仕切り壁パネル外部方向側から内部方向側に突出させた防音体係合用針状体の表面露出部の彩色と異ならせてなる請求項１ないし３いずれかに記載の間仕切り壁パネル。
【請求項５】
枠体およびこの枠体の表裏面に固着される一対の面材から構成されることでその内部に中空部が形成され、この中空部に防音体を充填してなる間仕切り壁パネルの製造方法であって、間仕切り壁パネルの面材の間仕切り壁パネル内部方向側にて、防音体を面材の間仕切り壁パネル内部方向側に突出させた防音体係合用針状体に係合させ、防音体を間仕切り壁パネルの中空部に充填するようにして、この防音体を係合させた面材を枠体に固着させることを特徴とする間仕切り壁パネルの製造方法。
【請求項６】
防音体を面材で圧縮した状態で防音体係合用針状体に係合させ、この防音体を間仕切り壁パネルの中空部に充填するようにして、防音体を係合させた面材を枠体に固着させる請求項５記載の間仕切り壁パネルの製造方法。
【発明の詳細な説明】
【技術分野】
【０００１】
本願発明は、防音体を内部に充填してなる間仕切り壁パネルに関するものである。
【背景技術】
【０００２】
従来、遮音性向上のための防音体（例えば、グラスウール等の吸音材）を内部に充填した間仕切り壁パネルとしては、例えば、枠体およびこの枠体の表裏面に固着される一対の面材から構成されることでその内部に中空部が形成され、この中空部に防音体を充填してなる間仕切り壁パネルが知られている。例えば、図４（A）に例示したように、あらかじめ枠体２の一方の面のみに面材３A（例えば、石膏ボード等）を貼着して固着し、枠体２（中空部４）内に防音体５（例えば、グラスウール等の吸音材）を充填し、その上から他方の面の面材３B（例えば、石膏ボード等）を、タッカーステープル等の釘体よりなる面材固着用針状体７で枠体２に貼着して固着してなる間仕切り壁パネル１が提案されている（特許文献１参照）。
【０００３】
また、例えば、図５（A）に例示したように、あらかじめ枠体２の一方の面のみに面材３A（例えば、石膏ボード等）を貼着して固着し、枠体２（中空部４）内に防音体５（例えば、グラスウール等の吸音材）を充填し、防音体５にタッカーステープル等の釘体よりなる防音体係合用針状体６を打ち込んで前記面材３Aに固定し、その上から他方の面の面材３B（例えば、石膏ボード等）を、タッカーステープル等の釘体よりなる面材固着用針状体７で枠体２に貼着して固着してなる間仕切り壁パネル１も提案されている（特許文献２参照）。
【特許文献１】特開２０００−７３４７４号公報
【特許文献２】実開平５−３８１２１号公報
【発明の開示】
【発明が解決しようとする課題】
【０００４】
しかしながら、図４（A）に例示した間仕切り壁パネル１では、図４（B）に例示したように、防音体５は特に固定されていないことから、間仕切り壁パネル１の内部で、自身の重みで防音体５が矢印にて示すように下方に偏ってしまい、上方に隙間（S）が発生して十分な遮音性を発揮できないという問題があった。
【０００５】
また、図５（A）に例示した間仕切り壁パネル１では、図５（B）に例示したように、防音体５を固定している防音体係合用針状体６が面材３Aを貫通して面材３Aの表面に突き出る恐れがあるという問題があった。また、防音体５は、防音体係合用針状体６の部分だけが圧縮された状態になるため（その他の部分は圧縮状態から開放され、元の形状に復元された状態になる）、隙間（S）が生じ、遮音性にばらつきが生じるという問題があった。
【０００６】
本願発明は、上記従来の問題点を解消するためになされたものであり、防音体が下方に偏ることなく、また防音体を係合する防音体係合用針状体が面材の表面に突き出ることもなく、さらに間仕切り壁パネルの中空部に防音体を厚み方向にも均等に充填することができ、面全体にわたって均一な遮音性を得ることのできる、間仕切り壁パネルおよびその製造方法を提供することを課題とするものである。
【課題を解決するための手段】
【０００７】
本願発明は、上記の課題を解決するものとして、第１には、枠体およびこの枠体の表裏面に固着される一対の面材から構成されることでその内部に中空部が形成され、この中空部に防音体が充填されてなる間仕切り壁パネルであって、面材の間仕切り壁パネル内部方向側にて、防音体は面材の間仕切り壁パネル内部方向側に突出させた防音体係合用針状体に係合されていることを特徴とし、第２には、間仕切り壁パネルの面材の間仕切り壁パネル内部方向側にて、防音体を面材の間仕切り壁パネル内部方向側に突出させた防音体係合用針状体に係合させ、この防音体を係合させた面材を間仕切り壁パネルの枠体に固着させ、防音体を中空部に充填してなることを特徴とする。
【０００８】
また、本願発明は、第３には、防音体を、面材で圧縮させた状態で防音体係合用針状体に係合させてなることを特徴とし、第４には、面材を面材固着用針状体で枠体に固着させ、かつ、面材固着用針状体の表面露出部の彩色を、一部を面材の外部方向側で露出させるように面材の間仕切り壁パネル外部方向側から内部方向側に突出させた防音体係合用針状体の表面露出部の彩色と異ならせてなることを特徴とする。
【０００９】
さらに、本願発明は、第５には、枠体およびこの枠体の表裏面に固着される一対の面材から構成されることでその内部に中空部が形成され、この中空部に防音体を充填してなる間仕切り壁パネルの製造方法であって、間仕切り壁パネルの面材の間仕切り壁パネル内部方向側にて、防音体を面材の間仕切り壁パネル内部方向側に突出させた防音体係合用針状体に係合させ、防音体を間仕切り壁パネルの中空部に充填するようにして、この防音体を係合させた面材を枠体に固着させることを特徴とし、第６には、防音体を面材で圧縮した状態で防音体係合用針状体に係合させ、この防音体を間仕切り壁パネルの中空部に充填するようにして、防音体を係合させた面材を枠体に固着させることを特徴とする。
【発明の効果】
【００１０】
第１および第２の発明によれば、防音体が下方に偏ることなく、また防音体を係合する防音体係合用針状体が面材の表面に突き出ることもなく、さらに間仕切り壁パネルの中空部に防音体を厚み方向にも均等に充填することができ、面全体にわたって均一な遮音性を得ることができる。
【００１１】
また、第３の発明によれば、上記第１および第２の発明の効果に加えて、間仕切り壁パネルの中空部により確実、均等に防音体を充填することができる。
【００１２】
第４の発明によれば、上記第１〜第３の発明の効果に加えて、より確実に面材を固定することができるとともに、間仕切り壁パネルの内部に防音体が備えられているか否か簡単に識別することができる。
【００１３】
第５の発明によれば、上記第１および第２の発明の間仕切り壁パネルを効率よく製造することができる。
【００１４】
さらに、第６の発明によれば、上記第１〜第３の発明の間仕切り壁パネルを効率よく製造することができる。
【発明を実施するための最良の形態】
【００１５】
本願発明は、上記のとおりの特徴をもつものであるが、以下に、添付した図面に沿って、本願発明の間仕切り壁パネルの実施形態について詳細かつ具体的に説明する。
【００１６】
図１は、本願発明の間仕切り壁パネルの一実施形態を例示した分解斜視図である。図２は、本願発明の間仕切り壁パネルにおいて、防音体を圧縮して面材に固定する状態を概略的に例示した断面図である。
【００１７】
図１に例示したとおり、本願発明の間仕切り壁パネル１は、たとえば、縦枠部材および横枠部材からなる枠体２（必要に応じて、内部に強度補強のための竪桟２１を架設してもよい）およびこの枠体２の表面および裏面（つまり、前面および後面）に固着される一対の石膏ボード等の面材３A、３Bから構成されている。そして、その内部には中空部４が形成されており、この中空部４に遮音性向上のための防音体５（例えば、グラスウール等の吸音材）が収められ、充填されている。
【００１８】
具体的には、本願発明の間仕切り壁パネル１は、間仕切り壁パネル１を構成する少なくとも一方の面材３Bの間仕切り壁パネル１内部方向側（裏面側、つまり中空部４側）にて、防音体５が面材３Bの間仕切り壁パネル１内部方向側に突出させた、タッカーステープル等の釘体よりなる防音体係合用針状体６に係合されているとともに、面材３A、３Bが間仕切り壁パネル１の枠体２の表裏面に固着されて、防音体５が中空部４に充填されてなることを特徴としている。
【００１９】
そして、防音体係合用針状体６による防音体５の係合は、中空部４に防音体５を充填し、次いで面材３Bを枠体２に、接着剤やビス、後述する針状体（タッカーステープル等の釘体よりなる面材固着用針状体７）等で貼着して固着してから、防音体係合用針状体６を打ち込んで防音体５を係合させてもよいが、面材３Bに防音体係合用針状体６を打ち込んで面材３Bの間仕切り壁パネル１内部方向側にて防音体５を係合させ、この面材３Bを枠体２に、接着剤やビス、後述する針状体（タッカーステープル等の釘体よりなる面材固着用針状体７）等で貼着して固着する方が、防音体５を中空部４に簡単、かつ、確実に充填できるので好ましい。この場合についてさらに説明すると、本願発明の間仕切り壁パネル１は、たとえば、あらかじめ間仕切り壁パネル１の枠体２の一方の面のみに面材３Aを固着させる。次いで、他方の面に固着させる面材３Bの間仕切り壁パネル１内部方向側にて、防音体５を面材３Bの間仕切り壁パネル１外部方向側から間仕切り壁パネル１内部方向側に突出させた防音体係合用針状体６に係合（固定）させ、この防音体５を係合させた面材３Bを間仕切り壁パネル１の枠体２に、接着剤やビス、後述する針状体（タッカーステープル等の釘体よりなる面材固着用針状体７）等で固着させることによって、防音体５を中空部４に収めて充填してなる。
【００２０】
そして、面材３Bに防音体係合用針状体６を打ち込む際には、図１の例のように、面材３Bの間仕切り壁パネル１外部方向側から、間仕切り壁パネル１内部方向側に突出するようにすることが好ましい。また、複数の防音体係合用針状体６を用いることで、より確実に防音体５を係合（固定）することができる。このとき、本願発明の間仕切り壁パネル１においては、防音体係合用針状体６の先端は、たとえば、グラスウール等の吸音材よりなる防音体５との摩擦等で防音体５を係合（固定）している。なお、防音体係合用針状体６の先端はカギ状には形成されていない。
【００２１】
このような特徴を有する間仕切り壁パネル１によって、防音体５が自身の重量で下方に偏ることなく、また、防音体５を係合（固定）する防音体係合用針状体６が、間仕切り壁パネル１の中空部４に収まり面材３Aの間仕切り壁パネル１外部方向側に突き出ることもない。さらに、間仕切り壁パネル１の中空部４に防音体５を厚み方向にも均等に充填することができ、間仕切り壁パネル１の面全体にわたって均一な遮音性を得ることができる。
【００２２】
また、図２に例示したとおり、本願発明の間仕切り壁パネル１において、防音体５は、面材３Bで圧縮させた状態で、防音体係合用針状体６に係合させてもよい。つまり、面材３Bの間仕切り壁パネル１内部方向側に防音体５を配置して黒矢印にて示すように圧縮し、この圧縮状態で防音体係合用針状体６を打ち込んで防音体５を面材３Bに係合させる。一般に、弾性を有するグラスウール等の吸音材よりなる防音体５は、圧縮状態から開放することで元の形状に復元することから、防音体係合用針状体６の打ち込み完了後、防音体５を元の形状に復元させるとともに、防音体５を間仕切り壁パネル１の中空部４に収めて充填するようにして、防音体５を係合させた面材３Bを枠体２に固着させる。このとき、防音体５は、完全に復元する前に収めて充填してもよいし、復元した後に収めて充填してもよい。これによって、間仕切り壁パネル１の中空部４で確実に、しかも厚み方向にも均等に防音体５が充填されるため、面全体にわたって均一な遮音性を得ることができる。
【００２３】
また、防音体５を圧縮状態で面材３Bに係合させることについてさらに説明すると、上記のように、面材３Bで圧縮して防音体係合用針状体６を打ち込んで係合させることの他に、予め面材３Bから防音体係合用針状体６の先端を突出させ、このような面材３Bで防音体５を圧縮しながら係合させてもよい。
【００２４】
図３は、本願発明の間仕切り壁パネルの別の実施形態を例示した分解斜視図である。
【００２５】
本願発明の間仕切り壁パネル１は、図３に例示したように、面材３A、３Bを面材固着用針状体７で固着させる場合には、面材固着用針状体７の表面露出部の彩色と、防音体係合用針状体６の表面露出部の彩色とを異ならせて、彩色を施してもよい。このとき、防音体係合用針状体６は、その一部を面材３Bの外部方向側（表面側）で露出させるようにして、面材３Bの間仕切り壁パネル１外部方向側から内部方向側（裏面側）に突出させている。また、彩色方法としては、特に限定されるものではないが、たとえば、塗装を施したり、色付テープを貼着したりすること等が考慮できる。このように、面材固着用針状体７と防音体係合用針状体６との彩色を異ならせることで、間仕切り壁パネル１の内部（中空部４）に防音体５が充填されているか否かを簡単に識別することができる。そして、このように識別を簡単にできるようにすることで、間仕切り壁パネル１を設置・配設する際の、防音体５を充填した間仕切り壁パネル１と防音体５を充填していない間仕切り壁パネルとの取り違いを防止することができる。
【００２６】
なお、この図３の例では、複数の面材固着用針状体７を枠体２の形状に沿って打ち込むことで、枠体２に面材３A、３Bを固着している。
【００２７】
さらに、上記のような間仕切り壁パネル１の製造方法の手順については、図１〜図３に例示したように：
＜１＞間仕切り壁パネル１の少なくとも一方の面材３Bの裏面側にて、防音体５を面材３Bの間仕切り壁パネル１内部方向側に突出させた防音体係合用針状体６に係合させる。この「係合」について説明すると、防音体５を確実に係合（固定）することを考慮すると、あらかじめ面材３Bの間仕切り壁パネル１外部方向側から間仕切り壁パネル１内部方向側に突出させた防音体係合用針状体６を防音体５に「打ち込む」ことで係合（固定）させることが好ましい。また、このとき、防音体５は、面材３Bで圧縮された状態で係合させることがさらに好ましい。次いで、
＜２＞この防音体５を間仕切り壁パネル１の中空部４に収めて充填するように、防音体５を係合させた面材３Bを枠体２に接着剤やビス、針状体（面材固着用針状体７）等で固着させる。この面材３A、３Bを枠体２に面材固着用針状体７で固着させるとき、防音体係合用針状体６の彩色と異なる彩色を、面材固着用針状体７に施すことで、間仕切り壁パネル１の内部（中空部４）に防音体５が充填されているか否かを簡単に識別することのできる間仕切り壁パネル１を製造することができる。このような手順で、本願発明の間仕切り壁パネル１を効率よく製造することができる。
【００２８】
また、あらかじめ間仕切り壁パネル１の枠体２の一方の面のみに面材３Aを固着させ、防音体５を中空部４に収めて充填し、枠体２の他方の面に面材３Bを設置してから、防音体５の係合（固定）と面材３Bの固着を行ってもよい。
【００２９】
なお、防音体５を圧縮する際には過度な圧縮は控え、たとえば、防音体係合用針状体６の先端が、打ち込みの際に作業台等にあたって、防音体係合用針状体６が曲がらないように作業を行うことが好ましい。
【００３０】
このような間仕切り壁パネル１の組み立て作業や防音体５の充填作業等は、通常、工場等で行うが、その一部または全部の作業を施工現場でその施工状況に応じて適宜に行ってもよい。
【００３１】
もちろん、本願発明の間仕切り壁パネル１は、以上の例示によって限定されるものではない。例えば、防音体５の材質については、例えば、グラスウールの他、カーボン繊維、ウレタンフォーム、スポンジ等が使用でき、防音性（吸音性）を有するものであれば特に限定されるものではない。また、防音体５の形状についても、特に限定されるものではなく、適宜に間仕切り壁パネル１の内部（中空部４）の形状に合わせて決定すればよい。
【図面の簡単な説明】
【００３２】
【図１】本願発明の間仕切り壁パネルの一実施形態を例示した分解斜視図である。
【図２】本願発明の間仕切り壁パネルにおいて、防音体を圧縮して面材に固定する状態を概略的に例示した断面図である。
【図３】本願発明の間仕切り壁パネルの別の実施形態を例示した分解斜視図である。
【図４】従来の間仕切り壁パネルを概略的に例示した図であり、（A）は分解斜視図、（B）は組み立て完了後の正面図である。
【図５】別の従来の間仕切り壁パネルを概略的に例示した図であり、（A）は分解斜視図、（B）は組み立て完了後の断面図である。
【符号の説明】
【００３３】
１  間仕切り壁パネル
２  枠体
２１  竪桟
３A、３B  面材
４  中空部
５  防音体
６  防音体係合用針状体
７  面材固着用針状体
【図１】
2006207135.tif 000003
【図２】
2006207135.tif 000004
【図３】
2006207135.tif 000005
【図４】
2006207135.tif 000006
【図５】
2006207135.tif 000007